(57)【要約】【課題】長期に亘って集水器のゴミ詰まりを防止し、軒樋との隙間ができにくく、ズレることもない施工性の良好な集水器用ゴミ除けネットを提供する。【解決手段】軒樋４と堅樋の間に設置される集水器３のゴミ詰まりを防止するため、集水器３側の軒樋端部４ｅに取付けられるゴミ除けネット１であって、ゴミ除けネット１が、ゴミを収集するネット本体１ａとネット本体１ａの底部に設けられた軒樋４の底板４ｃを差し込む係止部１ｂからなり、ゴミ除けネット１を軒樋４に取付けたときのネット本体１ａの位置Ｌ１が、軒樋端部４ｅよりも上流側で、係止部１ｂの差し込み口Ｌ２と同じ、若しくは、上流側に位置するように係止部１ｂを形成した構成とする。ネット本体１ａの大きさを軒樋４の有効断面積に近付けることで閉塞しにくくなり、ネット本体１ａが軒樋４の内側に納まるように取付けられるので、軒樋４との隙間Ｓができにくく、ズレることもない。【選択図】図２
2010024788.tif 000002
【特許請求の範囲】
【請求項１】
軒樋と堅樋の間に設置される集水器のゴミ詰まりを防止するため、集水器側の軒樋端部に取付けられるゴミ除けネットであって、
上記ゴミ除けネットが、ゴミを収集するネット本体と、該ネット本体の底部に設けられた軒樋の底板を差し込む係止部からなり、
上記ゴミ除けネットを軒樋に取付けたときのネット本体の位置が、軒樋端部よりも上流側で、且つ、係止部の差し込み口と同じ、若しくは、上流側に位置するように係止部を形成したことを特徴とする集水器用ゴミ除けネット。
【請求項２】
上記係止部が略コ字形に形成されていることを特徴とする請求項１に記載の集水器用ゴミ除けネット。
【請求項３】
上記ネット本体上部の両端部に、軒樋の後板又は前板に当接させて摺動させると、ゴミ除けネットが軒樋の内側に向って移動する形状のガイド部材が形成されていることを特徴とする請求項１又は請求項２に記載の集水器用ゴミ除けネット。
【請求項４】
軒樋と堅樋の間に設置される集水器のゴミ詰まりを防止する集水器用ゴミ除けネットの取付け構造であって、請求項１ないし請求項３のいずれかに記載の集水器用ゴミ除けネットの係止部を軒樋の底板に係止させて、集水器用ゴミ除けネットを集水器側の軒樋と軒樋の端部にそれぞれ取付けたことを特徴とする集水器用ゴミ除けネットの取付け構造。
【請求項５】
集水器用ゴミ除けネットのネット本体の上部にカバーネットを取付けて、ゴミ除けネット間の上部開放をカバーネットで覆ったことを特徴とする請求項４に記載の集水器用ゴミ除けネットの取付け構造。
【発明の詳細な説明】
【技術分野】
【０００１】
本発明は、軒樋から堅樋への経路途中に設置される集水器のゴミ詰まりを防止する集水器用ゴミ除けネットと、その取付け構造に関するものである。
【背景技術】
【０００２】
従来、枯れ葉やゴミ等が堅樋へ流れ込むのを防止するため、軒樋と堅樋の連結部に設置された樋集水器の落し口に、上部に網状体が設けられ、下部に筒状体が設けられたゴミ除去キャップを差し込むなどして対応してきた(特許文献１)。
【特許文献１】特開平１１−２５６５６７号公報
【発明の開示】
【発明が解決しようとする課題】
【０００３】
しかしながら、上記樋集水器は、降雨時、両隣の軒樋に堆積した枯れ葉などのゴミが落し口に差し込まれたゴミ除去キャップ１箇所に集中し、また、ゴミ除去キャップの網状体は落し口よりも僅かに大きい程度の面積しか有していないため、直ぐにドーム状のゴミ除去キャップの周面に枯れ葉などのゴミが詰まって閉塞し、頻繁にゴミ除去作業をしないと家屋の屋根に降った雨水が軒樋から堅樋へと流れず、大雨のときなど軒樋から雨水が溢れてしまう、という問題があった。
【０００４】
本発明は上記の問題に鑑みてなされたもので、その解決しようとする課題は、軒樋から堅樋へ雨水をスムーズに流落させて、長期に亘って集水器のゴミ詰まりを防止し、且つ、多少斜めに取付けても軒樋との隙間ができにくく、軒樋の中心から前板又は後板の方向へズレることもない施工性の良好な集水器用ゴミ除けネットと、その取付け構造を提供することにある。
【課題を解決するための手段】
【０００５】
上記目的を達成するため、本発明に係る集水器用ゴミ除けネットは、軒樋と堅樋の間に設置される集水器のゴミ詰まりを防止するため、集水器側の軒樋端部に取付けられるゴミ除けネットであって、上記ゴミ除けネットが、ゴミを収集するネット本体と、該ネット本体の底部に設けられた軒樋の底板を差し込む係止部からなり、上記ゴミ除けネットを軒樋に取付けたときのネット本体の位置が、軒樋端部よりも上流側で、且つ、係止部の差し込み口と同じ、若しくは、上流側に位置するように係止部を形成したことを特徴とするものである。
【０００６】
本発明の集水器用ゴミ除けネットにおいては、上記係止部が略コ字形に形成されていることが好ましい。また、上記ネット本体上部の両端部に、軒樋の後板又は前板に当接させて摺動させると、ゴミ除けネットが軒樋の内側に向って移動する形状のガイド部材が形成されていることがより好ましい。
【０００７】
次に、本発明の集水器用ゴミ除けネットの取付け構造は、軒樋と堅樋の間に設置される集水器のゴミ詰まりを防止する集水器用ゴミ除けネットの取付け構造であって、前述したいずれかの集水器用ゴミ除けネットの係止部を軒樋の底板に係止させて、集水器用ゴミ除けネットを集水器側の軒樋と軒樋の端部にそれぞれ取付けたことを特徴とするものである。
【０００８】
本発明の集水器用ゴミ除けネットの取付け構造においては、集水器用ゴミ除けネットのネット本体の上部にカバーネットを取付けて、ゴミ除けネット間の上部開放をカバーネットで覆ったことがより好ましい。
【発明の効果】
【０００９】
本発明の集水器用ゴミ除けネットは、軒樋端部に取付けるので、ゴミ除去の際の要となるネット本体の大きさを軒樋の有効断面積に近付けて、且つ、軒樋の底板に対して垂直に立設することで、ゴミ除去の際の有効な面積が、従来のドーム型のゴミ除去キャップよりも遥かに大きくなって閉塞しにくくなる。従って、枯れ葉などのゴミが、ゴミ除けネットを越えて集水器へ流れ込むことがなく、かなりの長期間ゴミ除去作業を行わなくても、軒樋から雨水が溢れてしまうような問題がない。この集水器用ゴミ除けネットは、集水器毎に取付けられるものなので、各軒樋に堆積したゴミはそれぞれの集水器用ゴミ除けネットに分散し、相当な期間メンテナンスをする必要がない。
また、本発明の集水器用ゴミ除けネットは、ゴミ除けネットを軒樋に取付けたときのネット本体の位置が、軒樋端部よりも上流側に位置するように係止部を形成してあるので、該係止部に軒樋の底板を差し込んで集水器用ゴミ除けネットを軒樋に取付けると、ネット本体が軒樋の内側に納まるように取付けられることになる。従って、ゴミ除けネットを多少斜めに取付けてしまったとしても、ネット本体は軒樋の内側に位置することになり、ネット本体が軒樋の外側に取付けられている場合と比べると、軒樋端部とネット本体との間に隙間が生じにくく、集水器へのゴミの流入を阻止することができる。しかも、ネット本体が軒樋の内側に納まることで、ネット本体の両端が軒樋の前板や後板の内壁面に当接するので、ゴミ除けネットが軒樋の中心から前板又は後板の方向へズレる心配もない。更に、ネット本体が、係止部の差し込み口と同じ、若しくは、上流側に位置するように係止部を形成してあるので、軒樋の底板を係止部の奥まで充分に差し込むことができなくても、ネット本体の位置が軒樋の内側に納まるので、上記と同様の作用効果を奏し、施工性が良い。
【００１０】
上記係止部が略コ字形に形成されている集水器用ゴミ除けネットは、軒樋の底板を係止部に差し込むだけの簡単な作業で、軒樋の底板は係止部に挟着されるので、グラつきなく確実にゴミ除けネットを軒樋に取付けることができるようになる。
【００１１】
上記ネット本体上部の両端部に、軒樋の後板又は前板に当接させて摺動させると、ゴミ除けネットが軒樋の内側に向って移動する形状のガイド部材が形成されている集水器用ゴミ除けネットは、多少ゴミ除けネットを軒樋の中心からズレて取付けようとしてしまっても、軒樋の後板又は前板の端部にガイド部材を当接させて、軒樋の後板又は前板の端部にガイド部材を沿わせながらゴミ除けネットを上流側に押し込んで摺動させると、ゴミ除けネットは軒樋の中心に寄せられて正しい位置に取付けることができるようになるので、施工性が更に向上する。
尚、ガイド部材の軒樋の後板又は前板に当接させて摺動させると、ゴミ除けネットが軒樋の内側に向って移動する形状として、種々の形状が考えられるが、例えば、三角形であってもよいし、斜面がネット本体の外側に向って傾斜した片三角形でもよい。また、ネット本体の端に向って傾斜する斜面を円弧状に形成した形状のガイド部材でもよく、ネット本体の両端に向って傾斜した斜面を有する大半の形状が該当する。
【００１２】
次に、本発明の集水器用ゴミ除けネットの取付け構造は、上記のような優れた作用効果を奏する集水器用ゴミ除けネットを用いるので、長期に亘って集水器のゴミ詰まりを防止することができる。また、ゴミ除けネットを多少斜めに取付けても、軒樋との隙間が生じにくく、軒樋の中心から前板又は後板の方向へズレることもない。また、軒樋の底板を係止部の奥まで差し込むことができなくても上記と同様の作用効果を奏するので、施工性が良好である。
【００１３】
前述したように、本発明の集水器用ゴミ除けネットの取付け構造は、長期に亘って集水器のゴミ詰まりを防止する優れた構造のものであるが、いくらゴミ除けネットの表面積が大きいとはいえ、メンテナンスをしなければ、いずれ網目にゴミが詰まって閉塞し、行き場をなくした雨水はゴミ除けネットの上方を越えて、枯れ葉などのゴミと共に、集水器へ流れ込んでしまう。しかしながら、集水器用ゴミ除けネットのネット本体の上部にカバーネットを取付けて、ゴミ除けネット間の上部開放をカバーネットで覆った集水器用ゴミ除けネットの取付け構造であれば、万が一、ゴミ除けネットが閉塞し、枯れ葉などのゴミがゴミ除けネットを越えて集水器へ流れ込みそうになっても、ゴミ除けネット間の上部開放をカバーネットで覆っているので、集水器へゴミが流れ込むことがなくなり、かなりの長期間ゴミ除去作業を行わなくても閉塞する心配がない。
【発明を実施するための最良の形態】
【００１４】
以下、図面を参照して本発明の具体的な実施形態を詳述する。
【００１５】
図１は本発明の一実施形態に係る集水器用ゴミ除けネットの斜視図、図２は同ゴミ除けネットの左側面図、図３は同ゴミ除けネットの平面図、図４は本発明の一実施形態に係る集水器用ゴミ除けネットの取付け構造を示す分解斜視図、図５は同取付け構造の正面図、図６は同ゴミ除けネットを軒樋に斜めに取付けた状態を示す概略断面図、図７はネット本体が軒樋端部より集水器側に位置するネットを軒樋に斜めに取付けた状態を示す概略断面図、図８はネット本体が軒樋端部より集水器側に位置するネットを軒樋に取付けた状態を示す概略断面図、図９は集水器用ゴミ除けネットを軒樋に取付けた一実施形態を示す左側面図、図１０は係止部の差し込み口がネット本体より上流側に位置するネットを軒樋に取付けた状態を示す左側面図、図１１は同取付け構造に用いるカバーネットの斜視図、図１２は図１１のＡ−Ａ断面図である。
【００１６】
本発明の集水器用ゴミ除けネット１（以下、単にゴミ除けネット１という。）は、図４に示すように、軒樋４と軒樋４の間に設置される集水器３の落し口３ｄにゴミが詰まるのを防止するため、軒樋４，４の端部にそれぞれ取付けられるものである。
【００１７】
上記ゴミ除けネット１は、図１に示すように、枯れ葉などのゴミを収集するネット本体１ａと、ネット本体１ａの底部に設けられた係止部１ｂと、ネット本体１ａの上部両端に設けられたガイド部材１ｃ，１ｃと、ネット本体１ａの上部に設けられた係止爪１ｄからなる。
【００１８】
上記ネット本体１ａは、図１に示すように、複数の縦糸１０ａと３本の横糸１１ａから構成された、上下に２段の網目（開口）が形成された網体で、枯れ葉などのゴミを確実に収集できるように下段の網目が小さく形成されており、その下段の網目が詰まったとしても雨水の流路を確保するため上段の網目が大きく形成されている。このネット本体１ａの縦糸１０ａと縦糸１０ａの間隔、及び横糸１１ａと横糸１１ａの間隔が広すぎると、枯れ葉などのゴミが雨水と共にゴミ除けネット１を通過して集水器３に流れ込んでしまうので好ましくない。また、それらの間隔が狭すぎると、ネット本体１ａの開口面積の減少により、雨水の流入量が減少して排水性が低下するといった不具合を生じる。そのため、上段の縦糸１０ａと縦糸１０ａの間隔が８〜１５ｍｍ程度、横糸１１ａと横糸１１ａの間隔が１０〜２５ｍｍ程度、下段の縦糸１０ａと縦糸１０ａの間隔が５〜１０ｍｍ程度、横糸１１ａと横糸１１ａの間隔が８〜２５ｍｍ程度となるように形成されている。
【００１９】
また、上記ネット本体１ａの高さは、ゴミ除去能力や排水性等を考慮すると、軒樋４の有効深さ、又は有効断面積の３０〜８０％程度に形成するのが好ましく、最も好ましい実施態様は軒樋４の有効深さ、又は有効断面積の４０％前後となる。本実施形態の軒樋４の有効深さは１２０ｍｍなので、ゴミ除けネット１のネット本体１ａの高さは、軒樋４の有効深さ、又は有効断面積の４０％の５０ｍｍとなるように形成されている。
【００２０】
図１、図２に示すように、上記ネット本体１ａの底部に設けられた係止部１ｂは、ゴミ除けネット１を軒樋４に取付けるために形成されたもので、ネット本体１ａの最下段の横糸１１ａより、ネット本体１ａと直交するように平板が突設されて、その平板の集水器３側の端部を下方へ９０°折り曲げることで軒樋端部４ｅが当接するストッパー部１０ｂが形成され、更にそこから上流側へ９０°折り曲げられて略コ字形をしている。この略コ字形の係止部１ｂに軒樋４の底板４ｃを差し込むと、軒樋４の底板４ｃは上下から挟着されて確実に係止し、グラつきなく強固にゴミ除けネット１を軒樋４に取付けることができるようになる。従って、この係止部１ｂの差し込み口の位置Ｌ２からストッパー部１０ｂまでの奥行きが余り浅いと、軒樋４の底板４ｃを充分に挟着することができないので、係止部１ｂの差し込み口の位置Ｌ２からストッパー部１０ｂまでの奥行きが５〜２５ｍｍとなるように形成されている。
【００２１】
また、上記係止部１ｂは、図２に示すように、軒樋端部４ｅが当接するストッパー部１０ｂを、ネット本体１ａの位置Ｌ１よりも集水器３側に位置するように形成してある。このように軒樋端部４ｅが当接するストッパー部１０ｂをネット本体１ａよりも集水器３側に位置するように形成すると、図２の仮想線が示すように、軒樋４の底板４ｃを係止部１ｂに差し込んだとき、ネット本体１ａが軒樋端部４ｅよりも上流側に位置することになる。ネット本体１ａが軒樋端部４ｅよりも上流側に位置すると、ゴミ除けネット１が何らかの外力によって軒樋４の中心から前板４ａ又は後板４ｂの方向へズレそうになったとしても、図３に示すように、ネット本体１ａの左右両端が軒樋４の前板４ａ又は後板４ｂの内壁面に当接するので、ゴミ除けネット１が軒樋４の中心から前板４ａ又は後板４ｂの方向へズレてしまうことはない。これとは逆に、図８に示すように、ストッパー部１０ｂがネット本体１ａよりも上流側に位置するように係止部１００ｂを形成してしまうと、ネット１００を軒樋４に取付けた際、ネット本体１ａが軒樋４の外側に位置してしまい、ネット本体１ａの左右両端が軒樋４の前板４ａ又は後板４ｂの内壁面に当接することがないので、外力によってネット１００が軒樋４の中心から前板４ａ又は後板４ｂの方向へズレてしまい好ましくない。更に、このようなネット１００を軒樋４に斜めに取付けてしまうと、図７に示すように、ネット本体１ａと軒樋４との間に隙間Ｓが形成されてしまう。このような隙間Ｓが形成されてしまうと、そこから枯れ葉などのゴミが集水器３に流れ込むといった不具合を生じる。しかしながら、本発明のゴミ除けネット１のように、ストッパー部１０ｂをネット本体１ａよりも集水器３側に位置するように形成してあると、ゴミ除けネット１を多少斜めに取付けてしまったとしても、図６に示すように、ゴミ除けネット１のネット本体１ａは軒樋４の内側に納まるので、上記のような隙間Ｓが形成されることがなく、そこから枯れ葉などのゴミが集水器３に流れ込むことがない。
【００２２】
また、本発明のゴミ除けネット１は、図２に示すように、係止部１ｂの差し込み口の位置Ｌ２が、ネット本体１ａの位置Ｌ１よりも集水器３側に位置するように形成されている。上記のように、係止部１ｂのストッパー部１０ｂがネット本体１ａよりも集水器３側に位置するように形成してあると、軒樋４の中心から前板４ａ又は後板４ｂの方向へのズレを防止し、多少斜めに取付けても隙間Ｓが形成されることがない。しかしながら、図１０に示すように、ストッパー部１０ｂがネット本体１ａよりも集水器３側に位置するような係止部１０１ｂを備えたネット１０１であっても、係止部１０１ｂの差し込み口の位置Ｌ３がネット本体１ａの位置Ｌ１よりも上流側に位置するように形成されていると、軒樋端部４ｅを係止部１０１ｂのストッパー部１０ｂまで差し込めなかった場合、ネット本体１ａの位置が軒樋端部４ｅよりも集水器３側に位置してしまう。ネット本体１ａの位置が軒樋端部４ｅよりも集水器３側に位置してしまうと、上記のように、軒樋４の中心から前板４ａ又は後板４ｂの方向へズレたり、斜めに取付けたときに隙間Ｓを形成してしまうので好ましくない。従って、前述したように、ストッパー部１０ｂをネット本体１ａよりも集水器３側に位置するように形成すると共に、係止部１ｂの差し込み口の位置Ｌ２を、ネット本体１ａの位置Ｌ１よりも集水器３側に位置するように形成する必要がある。このように、係止部１ｂの差し込み口の位置Ｌ２を、ネット本体１ａの位置Ｌ１よりも集水器３側に位置するように形成すると、例え軒樋端部４ｅがストッパー部１０ｂに当接しなくても、図９に示すように、ネット本体１ａが軒樋４の内側に納まることになるので、軒樋４の中心から前板４ａ又は後板４ｂの方向へズレるのを防止し、多少斜めに取付けても問題が生じない。
【００２３】
上記係止部１ｂの幅は、軒樋４底部の有効幅（軒樋４の底板４ｃと前板４ａ及び底板４ｃと後板４ｂの想像延長線がそれぞれ交接する間の幅、つまり底板４ｃと前板４ａ及び底板４ｃと後板４ｂの交接部にあるアールを除いたときの底板４ｃの幅を指す）の１／６より小さいと取付け強度が不足し、さらにゴミ除けネット１を軒樋端部４ｅと平行に取付けにくくなる。また、５／６より大きいと雨水の流れを阻害することになるので、軒樋４底部の有効幅の１／６〜５／６程度に形成することが望ましい。
尚、本発明のゴミ除けネット１は幅広の係止部１ｂを１つ形成したものであるが、係止部１ｂを２つ設けても構わなく、その場合は、１つの係止部１ｂの外側端から他方の係止部１ｂの外側端までの距離が、有効幅の１／６以上で、且つ、軒樋４の中心を挟んで左右対称位置となるように形成すると安定して取付けることができるようになる。
【００２４】
更に、図１３に示すように、上記係止部１ｂの差し込み口から下方へ突片１ｆが突設されたゴミ除けネット１０も好適に用いられる。このような突片１ｆは、軒樋４内から垂れた雨水が軒樋４外側壁と集水器３内側との間に侵入するのを防止する水切りの役目を果たすほか、気温が低下して軒樋４が収縮した場合でも、下方に折り曲げられた部分が集水器３の内壁に当接して、軒樋４が集水器３から脱落することがなくなる、といった効果を奏する。
【００２５】
図２、図３に示すように、ゴミ除けネット１のネット本体１ａの縦糸１０ａから上記係止部１ｂの平板の上流側に向って、片三角形の補強リブ１ｅ，１ｅが設けられている。このような補強リブ１ｅを設けると、ゴミ除けネット１を軒樋４に取付けた際、補強リブ１ｅがつっかえ棒の役割を果たすので、ゴミ除けネット１の倒れや撓みを防止し、より強固に取付けることができる。
【００２６】
次に、ゴミ除けネット１のネット本体１ａの上部に形成された係止爪１ｄは、図１、図２に示すように、ネット本体１ａの最上段の横糸１１ａの中間部分が略三角形に切り欠かれると共に、その切欠部より上方へ突起片１１ｄが突設されて、その上方へ突設された突起片１１ｄの先端に、略三角形の戻り防止爪１０ｄが形成されたものである。この係止爪１ｄは、後述するカバーネット２を取付けるために設けられたもので、係止爪１ｄを１本とすることで、２本設けた場合と比較すると、軒樋４の不均等な伸縮による歪みの影響を受けにくくなる。
尚、この係止爪１ｄの形状は、カバーネット２と係止する形状であれば、特に本実施形態の形状に限定されるものではなく、例えば、円形であってもよい。
【００２７】
また、図１、図３に示すように、ネット本体１ａの最上段の横糸１１ａの左右両端には、一対のガイド部材１ｃ，１ｃが上流側に突設されている。このガイド部材１ｃは、ネット本体１ａから上流側に突設されたのち、ネット本体１ａの両端に向って緩やな角度で傾斜し、更にそこから急角度でネット本体１ａの両端に向けて傾斜するように形成されている。このような形状のガイド部材１ｃを形成することで、施工現場の足場が悪いなどして軒樋４の内部が視認できないときに、該ガイド部材１ｃを持つことでゴミ除けネット１が持ち易くなり、ゴミ除けネット１の両端及び上端の位置を把握することができるようになると共に、多少ゴミ除けネット１の取付け位置が軒樋４の中心からズレていたとしても、軒樋４の後板４ｂ又は前板４ａの端部に該ガイド部材１ｃを当接させて、軒樋４の後板４ｂ又は前板４ａの端部にガイド部材１ｃを沿わせながらゴミ除けネット１を上流側に押し込むと、ゴミ除けネット１は図３が示す矢印方向と反対方向に摺動するので、ゴミ除けネット１は軒樋４の中心に寄せられて正しい位置に取付けることができるようになる。また、ガイド部材１ｃは平坦な面であるので、後述するカバーネット２を安定して載置することができるようにもなる。
【００２８】
尚、ガイド部材１ｃの形状は、軒樋４の後板４ｂ又は前板４ａの端部に当接させて摺動させると、ゴミ除けネット１が軒樋４の内側に向って移動する形状であれば上記の形状に限定されるものではなく、例えば、図１４のような円弧状のガイド部材１０ｃでもよいし、図１５のような片三角形のガイド部材１１ｃでもよい。また、この他にも種々の形状が考えられ、ネット本体１ａの両端に向って傾斜した斜面を有する大半の形状が該当する。
【００２９】
以上のような構成のゴミ除けネット１を、軒樋４の端部に取付けると、図５に示すように、ゴミ除去の際の要となるネット本体１ａの大きさが軒樋４の有効断面積に近付き、且つ、軒樋４の底板４ｃに対して垂直に立設されることになるので、ゴミ除去の際の有効な面積が、従来の樋集水器のドーム型のゴミ除去キャップと比較すると遥かに大きくなるので閉塞しにくくなる。
【００３０】
本実施形態のゴミ除けネット１は、硬質塩化ビニル樹脂を主成分として成形されたものであるが、材質については特に限定されるものではなく、耐候性に優れるＡＳ樹脂、ＡＥＳ樹脂、ポリカーボネート樹脂を主成分として成形してもよく、また、その他の合成樹脂、特に軟質合成樹脂でもよいし、金属製であってもよい。また、合成樹脂で形成される場合、親水性を発揮する添加剤、紫外線吸収剤、酸化防止剤、耐衝撃補強剤等の公知の添加剤を含有させてもよく、これらの添加剤を表面層にのみ含有させた多層構造で形成してもよい。
【００３１】
次に、以上のような構成のゴミ除けネット１の取付け構造と、その施工例を説明する。
【００３２】
本発明の集水器カバー部材Ｃの取付け構造は、図４に示すように、軒樋４と堅樋（不図示）の連結部分に設置される集水器３のゴミ詰まりを防止するためのもので、前述したゴミ除けネット１の係止部１ｂと軒樋４の底板４ｃを係止させて、ゴミ除けネット１を集水器３側の軒樋４と軒樋４の端部にそれぞれ取付けたのち、ゴミ除けネット１の上部にカバーネット２を取付けて、ゴミ除けネット１，１間の上部開放をカバーネット２で覆ったものである。
【００３３】
上記取付け構造の施工手順は、まず、集水器３と軒樋４，４を連結する。このとき軒樋４と軒樋４は、集水器３の落し口３ｄを塞がないように、端部同士を直接突き合わせず、４０〜７０ｍｍ程度の間隔を開けて集水器３と連結する。この取付け構造に用いられる集水器３は、軒樋４をその内側に嵌合するもので、図４に示すように、前壁部３ａと底壁部３ｃと後壁部３ｂからなり、軒樋４を内側に嵌め込めるよう、その大きさは軒樋４よりも一回り大きく形成されている。前壁部３ａには、軒樋４の前側耳部４０ａをその内側に嵌合する２つの前嵌合部３０ａ，３０ａが形成されており、後壁部３ｂには、軒樋４の後側耳部４０ｂをその内側に嵌合する後嵌合部３０ｂが２つ形成されている。そして、底壁部３ｃには堅樋（不図示）へと続く落し口３ｄが形成されている。
尚、より確実に落し口３ｄから堅樋（不図示）にゴミが流入するのを防止するために、落し口３ｄにゴミ除去キャップを設けても構わない。
【００３４】
上記のような構成の集水器３と軒樋４は、主に軒樋４の弾性変形を利用しながら集水器３の内側に嵌め込んでいき、前壁部３ａの前嵌合部３０ａ，３０ａの内側に軒樋４の前側耳部４０ａ，４０ａを嵌合させると共に、後壁部３ｂの後嵌合部３０ｂ，３０ｂの内側に軒樋４の後側耳部４０ｂを嵌合させることで連結されている。このとき、予め軒樋４の端部にゴミ除けネット１を取付けていると、ゴミ除けネット１が補強材のような役割を果たし、軒樋４の前後方向の強度が増すので弾性変形しにくくなり、集水器３と軒樋４を連結するのが困難となる。そのため、集水器３と軒樋４を連結してから、ゴミ除けネット１を取付けるのが好ましい。
【００３５】
上記のように集水器３と軒樋４の連結作業が終わると、次に、軒樋４，４の端部にゴミ除けネット１，１をそれぞれ取付ける。軒樋４とゴミ除けネット１の取付けは、ゴミ除けネット１のコ字形の係止部１ｂの差し込み口に、軒樋４の底板４ｃを挿入し、ストッパー部１０ｂに軒樋端部４ｅを当接させることにより行われる。軒樋４，４にゴミ除けネット１，１を取付けると、ゴミ除けネット１，１の上部にカバーネット２を取付ける。
【００３６】
ゴミ除けネット１の上部に取付けるカバーネット２は、図１１、図１２に示すように、カバーネット２は複数の開口が形成された長方形の網体で、図４に示すように、上記ゴミ除けネット１，１の上部に取付けられて、ゴミ除けネット１，１間の上部開放（即ち、集水器３の上側）を覆って集水器３へゴミが流入するのを防止するためのものである。このカバーネット２は、いくら本発明のゴミ除けネット１の表面積が大きくて閉塞しにくいとはいえ、メンテナンスをしなければ、いずれ網目にゴミが詰まって閉塞し、行き場をなくした雨水はゴミ除けネット１の上方を越えて、枯れ葉などのゴミと共に集水器３へ流れ込んでしまうといった不具合が生じるので、それを防止するため取付けられる。
【００３７】
上記カバーネット２には、図１１、図１２に示すように、前述したゴミ除けネット１の係止爪１ｄと係止する被係止部２ａが２つ形成されている。この被係止部２ａは、カバーネット２の幅方向の中間に形成された長さ方向に長い開口２０ａの幅方向の内側面に、先端に向って傾斜した台形状の突片２１ａ，２１ａがそれぞれ設けられたもので、その突片２１ａと突片２１ａの間隔はゴミ除けネット１の係止爪１ｄの突起片１１ｄの幅よりも若干大きく、係止爪１ｄの戻り防止爪１０ｄの幅よりも若干小さい程度に形成されている。被係止部２ａをこのような形状とすると、ゴミ除けネット１の係止爪１ｄの戻り防止爪１０ｄに、被係止部２ａの台形状の突片２１ａ，２１ａの斜面に沿わせて、カバーネット２を下方へ押し込むことで、簡単且つ確実に取付けることができるようになると共に、カバーネット２の表裏どちらからでも係止爪１ｄと係止するので、カバーネット２の表裏を気にすることなく使用することができるようになり、施工性が良好となる。このカバーネット２の寸法は、集水器３や軒樋４の寸法によって変更されるが、長さが１７０ｍｍ前後、幅が１００ｍｍ前後のものであれば、市場に流通している多くの集水器や軒樋に対応することができる。また、開口が大き過ぎると枯れ葉などのゴミが集水器３に流れ込んでしまうので好ましくないが、小さ過ぎても雨水の流入量が減少して排水性が低下するといった不具合を生じる。これらを考慮して、カバーネット２の面積に対する開口の割合が５０〜８０％となるように形成されている。また、このカバーネット２の材質については特に限定されるものではないが、上記ゴミ除けネット１と同一のものが好適に用いられる。このような構成のカバーネット２をゴミ除けネット１の上部に取付けると、万が一、ゴミ除けネット１が閉塞し、枯れ葉などのゴミがゴミ除けネット１を越えて集水器３へ流れ込みそうになっても、ゴミ除けネット１，１間の上部開放をカバーネット２で覆っているので、集水器３へゴミが流れ込むことがなくなり、かなりの長期間ゴミ除去作業を行わなくても閉塞する心配がない。
【００３８】
上記構成のカバーネット２の被係止部２ａ，２ａと、ゴミ除けネット１，１の係止爪１ｄ，１ｄを係止することで、ゴミ除けネット１，１の上部開放（集水器３の上側）がカバーネット２で覆われて施工が完了する。
【００３９】
以上の説明から明らかなように、本発明のゴミ除けネット１とその取付け構造は、軒樋４，４の端部にゴミ除けネット１，１を取付けることで、図５に示すように、ゴミ除去の際の要となるゴミ除けネット１のネット本体１ａの大きさを、軒樋４の有効断面積に近付けて、且つ、軒樋４の底板４ｃに対して垂直に立設することができるので、ゴミ除去の際の有効な面積が、従来の樋集水器のドーム型のゴミ除去キャップと比較すると遥かに大きくなって閉塞しにくくなる。しかも、例えそのゴミ除けネット１が閉塞したとしても、ゴミ除けネット１とゴミ除けネット１の間には、その上部開放を覆うカバーネット２が取付けられているので、枯れ葉などのゴミが、ゴミ除けネット１を越えて集水器３へ流れ込むことがなく、かなりの長期間ゴミ除去作業を行わなくても、カバーネット２までもが閉塞する心配がないので、軒樋４，４から雨水が溢れてしまうような問題がない。
また、ゴミ除けネット１を軒樋４に取付けたときのネット本体１ａの位置Ｌ１が、軒樋端部４ｅよりも上流側に位置するように係止部１ｂを形成してあるので、ゴミ除けネット１を多少斜めに取付けてしまったとしても、ネット本体１ａは軒樋４の内側に位置し、軒樋端部４ｅとネット本体１ａとの間に隙間Ｓが生じにくく、集水器３へのゴミの流入を阻止することができる。このようにネット本体１ａが軒樋４の内側に納まることで、ネット本体１ａの両端が軒樋４の前板４ａや後板４ｂの内壁面に当接するので、ゴミ除けネット１が軒樋４の中心から前板４ａ又は後板４ｂの方向へズレてしまう心配もない。更に、ネット本体１ａが、係止部１ｂの差し込み口の位置Ｌ２よりも上流側に位置するように係止部１ｂを形成してあるので、軒樋４の底板４ｃを係止部１ｂの奥まで充分に差し込むことができなくても、ネット本体１ａの位置Ｌ１が軒樋４の内側に納まるので、上記と同様の作用効果を奏し、施工性が非常に良い。
【図面の簡単な説明】
【００４０】
【図１】本発明の一実施形態に係る集水器用ゴミ除けネットの斜視図である。
【図２】同ゴミ除けネットの左側面図である。
【図３】同ゴミ除けネットの平面図である。
【図４】本発明の一実施形態に係る集水器用ゴミ除けネットの取付け構造を示す分解斜視図である。
【図５】同取付け構造の正面図である。
【図６】同ゴミ除けネットを軒樋に斜めに取付けた状態を示す概略断面図である。
【図７】ネット本体が軒樋端部より集水器側に位置するネットを軒樋に斜めに取付けた状態を示す概略断面図である。
【図８】ネット本体が軒樋端部より集水器側に位置するネットを軒樋に取付けた状態を示す概略断面図である。
【図９】集水器用ゴミ除けネットを軒樋に取付けた一実施形態を示す左側面図である。
【図１０】係止部の差し込み口がネット本体より上流側に位置するネットを軒樋に取付けた状態を示す左側面図である。
【図１１】同取付け構造に用いるカバーネットの斜視図である。
【図１２】図１１のＡ−Ａ断面図である。
【図１３】本発明の他の実施形態に係る集水器用ゴミ除けネットの左側面図である。
【図１４】本発明の更に他の実施形態に係る集水器用ゴミ除けネットの平面図である。
【図１５】本発明の更に他の実施形態に係る集水器用ゴミ除けネットの平面図である。
【符号の説明】
【００４１】
１，１０，１１，１２  集水器用ゴミ除けネット
１ａ  ネット本体
１０ａ  縦糸
１１ａ  横糸
１ｂ  係止部
１０ｂ  ストッパー部
１ｃ，１０ｃ，１１ｃ  ガイド部材
１ｄ  係止爪
１０ｄ  戻り防止爪
１１ｄ  突起片
１ｅ  補強リブ
１ｆ  突片
２    カバーネット
２ａ  被係止部
２０ａ  長い開口
２１ａ  台形状の突片
３    集水器
３ａ  前壁部
３０ａ  前嵌合部
３ｂ  後壁部
３０ｂ  後嵌合部
３ｃ  底壁部
３ｄ  落し口
４    軒樋
４ａ  前板
４０ａ  前側耳部
４ｂ  後板
４０ｂ  後側耳部
４ｃ  底板
４ｅ  軒樋端部
Ｌ１  ネット本体の位置
Ｌ２，Ｌ３  係止部の差し込み口の位置
【図１】
2010024788.tif 000003
【図２】
2010024788.tif 000004
【図３】
2010024788.tif 000005
【図４】
2010024788.tif 000006
【図５】
2010024788.tif 000007
【図６】
2010024788.tif 000008
【図７】
2010024788.tif 000009
【図８】
2010024788.tif 000010
【図９】
2010024788.tif 000011
【図１０】
2010024788.tif 000012
【図１１】
2010024788.tif 000013
【図１２】
2010024788.tif 000014
【図１３】
2010024788.tif 000015
【図１４】
2010024788.tif 000016
【図１５】
2010024788.tif 000017